(57)【要約】【課題】ホットプレートの全部材を蓋に傷を付けることなく強固に支持するとともに、支持部材の使用時及び非使用時においても支持部材がケース本体の外郭から外方に出っ張ることのないようにしたホットプレートの支持構造を提供すること。【解決手段】ホットプレートのケース本体の側面部にロックレバーを取り付け、該ロックレバーを軸により弧回動させることによりその先端を前記ケース本体の上部または下部に位置することを可能にし、前記ロックレバーが上部に位置する時には蓋取手と係合してプレートを狭持し、下部に位置する時にはその下端がホットプレートの設置面よりも上方で、且つ前記ケース本体の外郭内に位置する構成。【選択図】        図５
2004313224.tif 000002
【特許請求の範囲】
【請求項１】
ケース本体と、該ケース本体内に収納配置されるプレートと、該プレートを加熱するための加熱源と、前記プレート上に載置される蓋と、該蓋の上部に取り付けられる蓋取手とを有するホットプレートにおいて、前記ケース本体の側面部にロックレバーを取り付け、該ロックレバーを軸により弧回動させることによりその先端を前記ケース本体の上部または下部に位置することを可能にし、前記ロックレバーが上部に位置する時には前記蓋取手と係合して前記プレートを狭持し、下部に位置する時にはその下端がホットプレートの設置面よりも上方で、且つ前記ケース本体の外郭内に位置することを特徴とするホットプレート。
【請求項２】
前記ケース本体の側面部には縦溝が設けられ、前記軸は該縦溝内において前記外郭内に位置するように取り付けられることを特徴とする請求項１記載のホットプレート。
【請求項３】
前記軸はホットプレート全高の中間位置よりも上方に位置することを特徴とする請求項１、２記載のホットプレート。
【請求項４】
前記軸に前記プレート方向への倒れを防止する突起を設けることを特徴とする請求項１ないし３記載のホットプレート。
【請求項５】
前記プレートに取手を設け、該プレート取手の側面により前記ロックレバーの動きを規制することを特徴とする請求項１ないし４記載のホットプレート。
【発明の詳細な説明】
【０００１】
【発明が属する技術分野】
本願発明は、ケース本体と少なくとも１枚のプレートと蓋とを有するホットプレートに関し、特にホットプレートの両側面にロックレバーを設け、蓋取手と嵌合させることによりホットプレートの各部材をサンドイッチ固定できるようにし、且つ縦置き収納することのできるようにしたホットプレートに関するものである。
【０００２】
【従来の技術】
従来ホットプレートは、外側に位置し底部に脚を有するケース本体と、そのケース本体に収納配置され肉等を加熱調理するためのプレート、或いはたこ焼き用のプレート等からなる複数の調理プレートと、調理プレートの下方に配置され加熱調理するためのヒータ等からなる加熱源と、調理プレートの上方に載置される蓋等の部材から構成される。
【０００３】
ホットプレートは、家庭内で簡単に肉等を調理することができ、またたこ焼き等機能の異なる複数枚のプレートを有するものでは必要に応じて使い分けできるとともに、各部材は着脱自在にされており別々に洗うことができるため衛生的でもある。更に使用しない時にはケース本体内に複数の調理プレートを積み重ね、その上から蓋をすることにより各部材を一体のものとして組み付けることができる等便利な調理具として多くの家庭で使用されている。
【０００４】
ところでホットプレートを使用しない時にはケース本体内に一個或いは複数の調理プレート等を積み重ねて片付けることになり、水平な状態でそのまま収納することも可能ではあるが、水平な状態で収納するとどうしても広い収納場所を要することになる。それに対し縦置きにして収納する方が場所を取らない場合が多くそのような形態で収納することができる形態のものが望まれていた。
【０００５】
そのような要望に答えるものとして、従来、積み重ねたホットプレートに別体のバンド等を巻き付け、巻き付けた後にホットプレートを縦置きにして適当な場所に収納することが行われていた。ところがバンド等を巻き付けるものではその取り付けが面倒であったり、またバンド等を紛失する恐れもあった。
【０００６】
そのような弊害をなくすものとして図１６に示すものが提案されている。図に示すホットプレートａは、その外郭をなすケース本体ｂと、該ケース本体ｂ内に順次収納配置される受け皿ｃ、反射体ｄ及びプレートｅとを有し、前記プレートｅの下部にはヒータｆが配置されるとともに、その上部には蓋ｇが載置され、プレートｅ内で肉等の加熱調理が行われる。
【０００７】
符号ｈは、収納スタンドであり、支持部ｈ１、脚部ｈ２及び狭持部ｈ３からなる断面略７字状の支持部材であり、図では１本のみ示すが実際には２本で１組のものである。該収納スタンドｈは、ホットプレートａの使用時にはその全体が水平状態でケース本体ｂの底部に係止手段により固定されるが、ホットプレートａの非使用時にはケース本体ｂは横向きにされ、収納スタンドｈは係止状態を解放された後ケース本体ｂの底部から引き出され、９０度回動され、収納スタンドｈの脚部ｈ２は垂直に、狭持部ｈ３は水平且つ支持部ｈ１のほぼ真上になるようにされるとともに、その状態でホットプレートａ方向に押し込まれ、狭持部ｈ３の先端は蓋ｇの上面に強く当接し、脚部ｈ２はケース本体ｂの側面より外方に出っ張る位置になるようにされる。
【０００８】
その結果、図に示すように支持部ｈ１がケース本体ｂの底部を上方向に押圧し、狭持部ｈ３の先端が蓋ｇの上面を下方向に押圧する形態でホットプレートａの全部材は２本の収納スタンドｈにより一体的に狭持される。その後、ホットプレートａを縦置きにすることにより脚部ｈ２が脚になり垂直状態で支持され収納される（例えば、特許文献１参照。）。
【０００９】
ところでこの支持部材は、ホットプレートａに取り付けられているため紛失等の心配はないが、ケース本体ｂを横向きにし、係止状態を外し、引き出し、回動し、その後再度押し込むというように操作が面倒であり、また、支持状態では狭持部ｈ３の先端が蓋ｇの上面を下方向に強く押圧するため蓋ｇに傷が付く恐れがあるとともに、その狭持力が十分とは言えず縦置きにした状態では各部材がバラバラになる恐れを有していた。更に、その脚部ｈ２はケース本体ｂの側面より外方に出っ張っているため、手に当たったり或いは縦置きにしたとしてもそれだけ嵩高になり、高さが低い縦長の空間内に収納する場合収納できない恐れを有していた。
【００１０】
【特許文献１】
特開平８−２５２１８７号公報。
【００１１】
【発明が解決しようとする課題】
本願発明は、ケース本体に回動自在に軸支した支持部材を弧回動するという簡単な操作により、ホットプレートの全部材を蓋に傷を付けることなく強固に支持するとともに、支持部材の使用時及び非使用時においても支持部材がケース本体の外郭から外方に出っ張ることのないようにしたホットプレートの支持構造を提供することを目的にするものである。
【００１２】
【課題を解決するための手段】
上記目的を達成するため、本願発明は以下の構成を採用する。
【００１３】
請求項１に係る発明では、ケース本体と、該ケース本体内に収納配置されるプレートと、該プレートを加熱するための加熱源と、前記プレート上に載置される蓋と、該蓋の上部に取り付けられる蓋取手とを有するホットプレートにおいて、前記ケース本体の側面部にロックレバーを取り付け、該ロックレバーを軸により弧回動させることによりその先端を前記ケース本体の上部または下部に位置することを可能にし、前記ロックレバーが上部に位置する時には前記蓋取手と係合して前記プレートを狭持し、下部に位置する時にはその下端がホットプレートの設置面よりも上方で、且つ前記ケース本体の外郭内に位置する構成。
【００１４】
そしてこのような構成により、ホットプレートの全部材を積み重ねた後、支持部材であるロックレバーを弧回動するという簡単な操作により、ホットプレートの全部材を強固に支持することができ、且つ、ロックレバーと蓋取手との係合により狭持が行われるため蓋を傷付けることなく支持が行われる。また、ロックレバーは、使用時においても非使用時においてもケース本体の外郭内に収まるよう配置され外方に出っ張ることがないため、手が当たったりすることがなく、また収納の自由度が高まる。
【００１５】
請求項２に係る発明では、前記ケース本体の側面部には縦溝が設けられ、前記軸は該縦溝内において前記外郭内に位置するように取り付けられる構成。そしてこのような構成により、請求項１に係る発明の作用に加え、ロックレバーの軸はケース本体内に収まるように配置されるため、手が当たったりすることがなく、且つ、見映えが良くなる。
【００１６】
請求項３に係る発明では、前記軸はホットプレート全高の中間位置よりも上方に位置する構成。そしてこのような構成により、請求項１、２に係る発明の作用に加え、ロックレバーが上部に位置する使用時にはロックレバーは蓋取手と係合してプレート並びにプレート等を強固に狭持し、下部に位置する非使用時にはロックレバーの下端はホットプレートの設置面よりも上方で、且つケース本体の外郭内に位置することになるため、加熱調理中にロックレバーに手が当たったりすることがなく、且つ加熱調理中に飛び跳ねた肉汁等がロックレバーにかかることがなくなる。
【００１７】
請求項４に係る発明では、前記軸に前記プレート方向への倒れを防止する突起を設ける構成。そしてこのような構成により、請求項１ないし３に係る発明の作用に加え、軸からロックレバーが抜けることがなくなるとともに、加熱調理中に誤ってロックレバーを操作してもロックレバーがプレートに当たり溶けてしまうという弊害がなくなる。
【００１８】
請求項５に係る発明では、前記プレートに取手を設け、該プレート取手の側面により前記ロックレバーの動きを規制する構成。そしてこのような構成により、請求項１ないし４に係る発明の作用に加え、プレートの左右のガタを抑えることができ縦置き収納時の収納性が良くなる。
【００１９】
【発明の実施の形態】
図１、２、３にホットプレート１の各部材を積み重ね、ホットプレート１の対向する短辺側面に設けた２個のロックレバー２１でホットプレート１を嵌合した状態を示す。図１はその平面図を、図２は長辺側から見た正面図を、図３は短辺側から見た側面図をそれぞれ示す。
【００２０】
その断面を示す図５により説明する。図５ではロックレバー２１が上動しホットプレート１のプレート５等の各部材を嵌合狭持する使用時と、下動しホットプレート１の各部材を解放する非使用時とを同時に示す。ホットプレート１は、外側に位置するケース本体２と、そのケース本体２の内側に配置されるほぼ皿形状の水受け容器３と、その水受け容器３の内側に着脱自在に配置される加熱源としてのヒータ４と、そのヒータ４の上部に着脱自在に載置される２個のプレート５、５及びそのプレート５、５の上方開口面を閉蓋する蓋６等からなる。
【００２１】
前記水受け容器３は、金属性の薄板をプレス加工により一体成形されるもので、平面視矩形状でその全体はほぼ皿状とされ、ケース本体２内に載置される。そして内部に水を入れプレート５で肉等を焼く時に出る肉汁等を受ける。また、この水受け容器３の表面に熱を反射するための処理を施しても良く、或いは別体の反射板を取り付けても良い。
【００２２】
ヒータ４は、図示しないが平面視略ハート状或いはＹ字状からなり、シーズヒータが使われる。このシーズヒータは金属パイプの中にコイル状の電熱線を通し、パイプと電熱線間の接触を防ぐためマグネシアなどの耐熱性の無機質絶縁粉末を詰め、金属パイプの両端を密封した構造を有するもので通常インコロイヒータとも呼ばれるものである。そしてその端部には既に公知の感熱棒を有する温度調節器が着脱自在に取り付けられ、適正な温度制御を行う。なお、ヒータ４は特にシーズヒータである必要はなく他のヒータを用いても良い。
【００２３】
プレート５は厚いアルミダイカスト製のものから作られ、やはり平面視矩形状でその全体はほぼ皿状に形成され、その短辺側の両側面にはそれぞれプレート取手７が設けられるとともに、その上方開口端には前記蓋６が載置されるための段部８が形成される。なお、プレート５には肉等を焼くためのプレート、たこ焼きを作るためのプレート等複数種あるが、図５には特に種類を特定せず単に２枚のプレート５、５を図示している。
【００２４】
蓋６は鋼板製で、プレート５とほぼ同じ平面視矩形状の部材であり、その外周端部には補強用等の機能を有するカール９が形成される。またその断面は図５に示すようにその中央部が盛り上がった円弧状にされ、更に短辺側の上面端部にはそれぞれ同じ形状の蓋取手１０がビス１１により一体的に取り付けられる。
【００２５】
該蓋取手１０は、蓋６上に位置する肉厚の本体部１０ａと、該本体部１０ａから外方に一体的に延設される肉薄の舌状部１０ｂとからなる。そして舌状部１０ｂは本体部１０ａより一段低くされ、両者１０ａ、１０ｂの境界には図１に示すように円弧状の段部１０ｃが形成されるとともに、舌状部１０ｂの上壁面には凸部１０ｄが形成される。更に、前記本体部１０ａの最上面部１０ｅは図５に示すように蓋６の天面の最上部より高さＳ２だけ高く形成されており、ホットプレート１を縦置きにした状態から転倒した場合、蓋６の天面のへこみを防止することができる。
【００２６】
また、蓋６の外周端に形成されるカール９は図５に示すようにプレート５の上方開口端に形成される段部８に載置される。
【００２７】
前記ケース本体２はホットプレートの外郭を構成する樹脂製部材であり、平面視矩形状でその全体はほぼ皿形状を呈し、その底部には複数個の脚部１２が一体に形成される。またケース本体２は、ケース本体２の底面図である図４に示すように、その中央部には大きな開口１３を有するとともに、その外周上には図９にも示すように複数本の補強リブ１４を有する環状溝１５が形成される。この環状溝１５は下方が開口した断面逆Ｕ字状からなり、後記する軸体２７が挿入される箇所には、それぞれ２個のビス穴１５ｂを有するビス穴用ボス１５ａが形成される。更に、該環状溝１５の内側には水受け容器３等が配置される収納空間１６が形成される。
【００２８】
また、前記環状溝１５の短辺側面部１７、１７には、それぞれ図３及び図１４に示すように所定距離離れて垂直で且つ平行の２本の縦溝１８、１８が形成される。この縦溝１８は図４及び図８に示すように断面コ字状で、その対向して形成される側壁面１９のうち外方側、即ち中央側とは反対側に位置する側壁面１９には、垂直状の切欠き溝２０が外方側の側壁面１９の下端部からその途中まで所定長さに亘って形成されるとともに、該切欠き溝２０の上端部は、図６及び図１３に示すように半円弧状に形成され、後記のロックレバー２１が軸支される軸体２７の軸２９が当接される。
【００２９】
符号２１はロックレバーであり、その詳細を図１０、図１１及び図１２に示す。図１０はその平面を、図１１は図１０のＣ−Ｃ線断面を、図１２は図１１のＤ−Ｄ線断面をそれぞれ示す。
【００３０】
該ロックレバー２１は、把持部２２及び該把持部２２の両端に平行に配置される側柱部２３を有する樹脂製の門形状部材である。前記把持部２２は手でもってロックレバー２１を上下動させる部分であり、その平面は図１０に示すように長辺部が上下に膨らんでなるほぼ矩形状を呈し、その断面は図１２に示すように水平部２２ａ及び円弧部２２ｂからなる。そして円弧部２２ｂの端部である後端部２２ｅに手をかけてロックレバー２１を上動するとともに、水平部２２ａの端部である前端部２２ｄに手をかけてロックレバー２１を下動することになる。
【００３１】
また、水平部２２ａの端部である前端部２２ｄの下面には、前記蓋取手１０の舌状部１０ｂ上壁面に形成される凸部１０ｄに係合可能な係止片２２ｃが形成される。
【００３２】
前記側柱部２３、２３は、把持部２２の両端部に平行且つ一体に形成される平板状部材であり、ロックレバー２１を支持する部分に相当する。該側柱部２３は、図１２に示すように上端部は前記把持部２２の外方下端部と一体に形成されるとともに、その下端部には後記の軸２９が嵌合される丸孔２５が形成される。
【００３３】
また、この丸孔２５には把持部２２の後端部２２ｅ方向に向かって水平に延びる切欠き２６が一体に形成されており、更に、側柱部２３の内壁面２３ａには、その全高に亘って垂直なリブ２４が形成されている。
【００３４】
符号２７は前記ロックレバー２１を軸支する軸体であり、その詳細を図７、図８及び図９に示す。軸体２７は、ＰＯＭ等の低摩擦及び低摩耗性の樹脂から形成され、本体部２８及び軸２９からなる。本体部２８は下方開口の箱形中空状部材であり、その内部には２つのビス貫通口２８ａ、２８ａ及び補強リブ２８ｂが形成される。
【００３５】
前記軸２９は、本体部２８の短辺側面２８ｃの上方部に水平方向に延びる形態で一体に形成されており、その先端上方には前記ロックレバー２１の切欠き２６に挿入可能な軸突起２９ａが一体に形成されている。
【００３６】
そしてこの軸体２７はケース本体２の外周上に形成される環状溝１５内に下方から上方に向かって押し込まれる形態で挿入される。その挿入箇所は、図４及び図８に示すように縦溝１８が形成される箇所で、縦溝１８の外方側の切欠き溝２０が形成される側壁面１９に当接し、且つ軸体２７の軸２９はその側壁面１９に形成される切欠き溝２０から縦溝１８内に突出されるような形態で配置される。
【００３７】
即ち、挿入後においては図４及び図８に示すように、軸体２７の短辺側面２８ｃが縦溝１８の側壁面１９に当接し、軸体２７の軸２９は縦溝１８内に突出する形態となる。図は、環状溝１５内に単に軸体２７を挿入した状態を示しているが、実際には図８に点線でロックレバー２１を示すようにロックレバー２１の両丸孔２５、２５内にそれぞれ軸体２７の軸２９を挿入した後に該軸体２７を環状溝１５内に挿入することになる。
【００３８】
次にその組み立てについて図１３により説明する。図１３の（Ａ）図は、軸体２７とロックレバー２１との組み立てを示し、その（Ｂ）図は、更にケース本体２との組み付けを示す。まず（Ａ）図についてであるが、軸体２７を立て、その軸２９をこちらに向けた状態にすると、軸２９上に形成される軸突起２９ａは上を向いた状態になる。
【００３９】
次に、ロックレバー２１を水平にしてその把持部２２を図に示すように右側に向くように配置すると側柱部２３に設けられる丸孔２５に形成される切欠き２６は上を向くことになるため、その状態で側柱部２３の丸孔２５に軸体２７の軸２９を合わせる。次いで側柱部２３の丸孔２５に軸体２７の軸２９を押し込む。丸孔２５及び切欠き２６は軸２９及び軸突起２９ａより若干大きく形成されているため、軸２９上に形成される軸突起２９ａは、丸孔２５に形成される切欠き２６内を通過し、軸２９は丸孔２５に挿入されることになる。
【００４０】
そのような操作をロックレバー２１の両側柱部２３、２３の両丸孔２５、２５で行い、それぞれの丸孔２５、２５内に軸体２７、２７を嵌合する。嵌合後、矢印の方向にロックレバー２１を回動して用いることになるが、組み付け後のロックレバー２１の使用時及び非使用時にはロックレバー２１と軸体２７とはもはや図１３の（Ａ）図の位置を占めることはないため、ロックレバー２１と軸体２７とが切り離されることはない。
【００４１】
ロックレバー２１と軸体２７とが組み立てられた後、図１３の（Ｂ）図に示すようにロックレバー２１を（Ａ）図より１８０度反対側に回動し、その状態で軸体２７をケース本体２の環状溝１５内に挿入する。その挿入は、ロックレバー２１の側柱部２３と軸体２７との間に切欠き溝２０が形成される側壁面１９が入り込む形態で行われる。挿入後においては、軸体２７に形成される２つのビス貫通口２８ａは環状溝１５内に形成される２つのビス穴用ボス１５ａに形成されるビス穴１５ｂと図９に示すように一致するため、図示しないビスにより軸体２７をケース本体２に強固に固定する。
【００４２】
その結果、図８に示すように軸体２７の軸２９は縦溝１８内を横断して位置し、側柱部２３の丸孔２５は縦溝１８内において軸２９に軸支され、ロックレバー２１は軸２９を中心にして回動自在に取り付けられることになる。
【００４３】
次に、前記軸体２７がロックレバー２１とともに縦溝１８内に挿入された後の軸２９の位置について説明する。図５に示すように軸２９の高さは、ホットプレート１の全高（Ｈ１＋Ｈ２）の中間よりも上方位置、即ち、脚部１２の最下端より軸２９の軸心までの高さＨ１の方が、軸２９の軸心より蓋取手１０の最上面部１０ｅまでの高さＨ２より大きい位置とされる。そして、高さＨ２はホットプレート１の全部材を確実に狭持できる高さに選定される。別言すれば、高さＨ１は、ホットプレート１の全部材を確実に狭持できる高さＨ２より大きい高さである。
【００４４】
また、前記軸体２７の幅方向、即ち水平方向の配置位置は次のように選定される。即ち、図６に示すように前記縦溝１８を形成する側壁面１９に形成される切欠き溝２０の中心線は、図６に示すようにケース本体２の縦溝１８が形成される短辺側面部１７の外方端より長さＨ４だけ内側に形成される。この長さＨ４は、ロックレバー２１が上下動位置にある場合、ロックレバー２１が図２及び図４に示すケース本体２の短辺側面部１７の最外方端１７ａより外方に出っ張らない位置とされる。図６で示す長さＨ３は、ロックレバー２１の側柱部２３の幅の長さであり、前記長さＨ４はその側柱部２３の幅の長さＨ３の半分より短い長さ、即ち、長さＨ５より短い長さにされる。
【００４５】
このような高さ及び幅関係になる位置に軸２９を設けることにより、ホットプレート１の全部材を狭持するロックレバー２１が上動しているロックレバー２１の使用時には、図５に示すようにロックレバー２１の把持部２２は、その下面に形成される係止片２２ｃが蓋取手１０の舌状部１０ｂの上面に形成される凸部１０ｄを乗り越えた位置にあり、把持部２２により蓋取手１０を下方に押圧し、ホットプレート１の全部材を強固に狭持され、且つ、把持部２２下面に形成される係止片２２ｃと舌状部１０ｂの上面に形成される凸部１０ｄとで強固に係合されることになる。そしてロックレバー２１がケース本体２の外郭から出っ張ることはない。
【００４６】
この場合、把持部２２の上面は、蓋取手１０の最上面部１０ｅより若干の高さであるＳ１だけ低くなるように設定される。その結果、ロックレバー２１の使用時には、蓋取手１０の最上面部１０ｅが最上方位置を占める。
【００４７】
また、ロックレバー２１の上動位置では、把持部２２の前端部２２ｄと蓋取手１０の本体部１０ａとの間には、図１に示すように空隙３０が形成されており、ロックレバー２１を外す場合には、この空隙３０に指を入れロックレバー２１の把持部２２を外方に押圧することになる。この場合、把持部２２の上面は、蓋取手１０の最上面部１０ｅより高さＳ１だけ低くされているため、ホットプレート１をユーザーが持ち運んだり、或いは縦置き収納する時に誤ってロックレバー２１に指がかかり、ロックレバー２１が外れてしまうことが防止できる。なお、把持部２２の上面と蓋取手１０の最上面部１０ｅ高さは、Ｓ１だけ差があるものとして説明したが同じ高さでも良い。
【００４８】
更に、ロックレバー２１の上動位置では、図５及び図６に示すようにロックレバー２１の内壁面２３ａに縦方向に設けたリブ２４が軸２９の上部に一体に形成される軸突起２９ａに当接するため、ロックレバー２１はそれ以上プレート５側に回動することはない。そのため、加熱調理時に誤ってロックレバー２１を回動操作したとしてもロックレバー２１がプレート５に当たり溶けてしまうという弊害を防止することができる。
【００４９】
更にまた、ロックレバー２１の上動位置では、図３に示すようにロックレバー２１の側柱部２３で蓋取手１０及びプレート取手７を若干の隙間Ｓ３、Ｓ３を介して囲い込むことになる。そのため側柱部２３の側壁面１９に蓋取手１０及びプレート取手７が当たるため、蓋６及びプレート５のガタを抑えることができ、縦置き収納時の収納性を良好にすることができる。
【００５０】
次に、ロックレバー２１が下動しているロックレバー２１の非使用時について説明する。その状態を図５に示す。この状態でもロックレバー２１はケース本体２の外郭より内側に位置するため、ロックレバー２１が目立たないため見栄えが悪くなることはなく、また、ロックレバー２１がケース本体２の下部に収納される形態であるため、プレートでの加熱調理時、肉汁等が飛び跳ねたとしてもロックレバー２１に当たることがないためロックレバー２１を清潔に保つことができる。
【００５１】
また、ロックレバー２１幅方向での軸２９の取り付け位置を図６に示すように長さＨ４を長さＨ５より短くしているため、ロックレバー２１が下動しているロックレバー２１の非使用時には、短い長さである長さＨ４の方が縦溝１８の奥側の溝奥部１８ａ側に位置することになる。即ち、図８に示す溝奥部１８ａから軸２９の軸心までの長さＨ５をそれだけ短くすることができる。即ち、縦溝１８全体の切欠き寸法をそれだけ小さくすることができる。
【００５２】
ところで図３に示すようにロックレバー２１とケース本体２の側壁面１９との間にはロックレバー２１を回動させるために隙間Ｓ３が設けられるが、この隙間があるとロックレバー２１とホットプレート１の係合を解除した後、ロックレバー２１から手を離すとロックレバー２１は自重により下方に向かって急激に回動し、その最下位置でぶつかり再び上動するというように音を発生しながら数度反復回動を繰り替えす恐れがある。
【００５３】
図１４に示すものはそのような弊害を防止するものである。即ち、ケース本体２の側壁面１９とロックレバー２１の内壁面２３ａとの間にゴム等の摩擦部材３１を介在させるものである。この摩擦部材３１はケース本体２の側壁面１９とロックレバー２１の内壁面２３ａとのいずれかに取り付けられる。このような摩擦部材３１を設けることにより、ロックレバー２１の急激な回動を防止することができるとともに、操作性に高級感を持たせることができる。また、ロックレバー２１が最下位置にあるロックレバー２１の非使用時に、ロックレバー２１を固定することもでき安定感を持たせることができる。
【００５４】
また、ロックレバー２１が最上位置にあるロックレバー２１の使用時には、把持部２２の下面に設けられる係止片２２ｃが蓋取手１０の上面に設けられる凸部１０ｄと係合するためロックレバー２１が外れることはないが、ロックレバー２１が最下位置にあるロックレバー２１の非使用時には、固定手段がないとロックレバー２１が振動することになる。図１４で説明したように摩擦部材３１を設けることにより固定は可能ではあるが、動きを止めるには十分とはいえない。
【００５５】
図１５に示すものはそのような弊害をなくするものである。即ち、まずロックレバー２１の側柱部２３の先端に係止突起２３ｂを形成し、次いで縦溝１８を形成する側壁面１９の溝奥部１８ａ近傍に係止凸部３２を設けたものである。このように形成することにより、ロックレバー２１が最下位置にあるロックレバー２１の非使用時には、ロックレバー２１の側柱部２３の先端に形成される係止突起２３ｂが側壁面１９の係止凸部３２を乗り越えて溝奥部１８ａにより近づいた位置になるため、ロックレバー２１は確実に固定され使い勝手がより良好になる。
【００５６】
本願発明は、上記実施例の構成に限定されるものではなく、発明の要旨を逸脱しない範囲において適宜設計変更可能であることは勿論である。
【００５７】
【発明の効果】
請求項１に係る発明では、ケース本体の側面部にロックレバーを取り付け、該ロックレバーを軸により弧回動させることによりその先端をケース本体の上部または下部に位置することを可能にし、ロックレバーが上部に位置する時には蓋取手と係合してプレートを狭持し、下部に位置する時にはその下端がホットプレートの設置面よりも上方で、且つケース本体の外郭内に位置することにより、ホットプレートの全部材を積み重ねた後、支持部材であるロックレバーを弧回動するという簡単な操作により、ホットプレートの全部材を強固に支持することができるとともに、ロックレバーと蓋取手との係合により狭持が行われるため蓋が傷付くことが防止できる。その結果、ホットプレートの縦置きを容易に行うことができる。
【００５８】
また、ロックレバーは、使用時においても非使用時においてもケース本体の外郭内に収まるよう配置され外方に出っ張ることがないため、手が当たることが防止でき、更に専用の収納箱に収納する場合にも簡単に収納できるとともに、該収納箱を小さなものとすることができそれだけ生産コストを低減することができる。更に、専用の収納箱を用いなくても簡単に収納できるとともに、ホットプレートの縦長と同じ長さの空間があれば該ホットプレートを収納することができるためそれだけ収納の自由度を高めることができる。
【００５９】
請求項２に係る発明では、ケース本体の側面部には縦溝が設けられ、ロックレバーを軸支する軸を該縦溝内においてホットプレートの外郭内に位置するように取り付けることにより、請求項１に係る発明の効果に加え、ロックレバーを軸支する軸をケース本体内に収まるように配置することができ、手が当たることが防止できるとともに、見映えを良くすることができる。
【００６０】
請求項３に係る発明では、ロックレバーを軸支する軸をホットプレート全高の中間位置よりも上方に位置することにより、請求項１、２に係る発明の効果に加え、ロックレバーが上部に位置する使用時には、ロックレバーは蓋取手と係合してプレート並びにプレート等を強固に狭持することができる。また、ロックレバーが下部に位置する非使用時には、ロックレバーの下端はホットプレートの設置面よりも上方で、且つケース本体の外郭内に位置することになるため、加熱調理中にロックレバーに手が当たることが防止されるとともに、加熱調理中に飛び跳ねた肉汁等がロックレバーにかかることがなくなるためロックレバーを衛生的に保つことができる。
【００６１】
請求項４に係る発明では、ロックレバーを軸支する軸にプレート方向への倒れを防止する突起を設けることにより、請求項１ないし３に係る発明の効果に加え、軸からロックレバーが抜けることを防止できるとともに、加熱調理中に誤ってロックレバーを操作してもロックレバーがプレートに当たり溶けてしまうという弊害を防止できるためそれだけホットプレートの信頼性を高めることができる。
【００６２】
請求項５に係る発明では、プレートに取手を設け、該プレート取手の側面によりロックレバーの動きを規制することにより、請求項１ないし４に係る発明の効果に加え、プレートの左右のガタを抑えることができるため縦置き収納時の収納性を向上させることができ、ひいてはそれだけホットプレートの信頼性を高めることができる。
【図面の簡単な説明】
【図１】本願発明のホットプレートのロックレバーの使用状態を示す平面図。
【図２】本願発明のホットプレートのロックレバーの使用状態を示す長辺側正面図。
【図３】本願発明のホットプレートのロックレバーの使用状態を示す短辺側側面図。
【図４】本願発明のホットプレートの一部材であるケース本体を示す底面図。
【図５】本願発明のホットプレートのロックレバーの使用状態を示す一部拡大断面図。
【図６】本願発明のロックレバーとケース本体と軸との嵌合状態を示す一部拡大断面図。
【図７】本願発明のロックレバーを軸支する軸体の一部断面状態を含む側面図。
【図８】本願発明のロックレバーを軸支する軸体をケース本体裏面の溝内に挿入した状態を示す図４のＡ部拡大底面図。
【図９】図８のＢ−Ｂ線断面図。
【図１０】本願発明のロックレバーの平面図。
【図１１】図１０のＣ−Ｃ線断面図。
【図１２】図１１のＤ−Ｄ線断面図。
【図１３】（Ａ）は本願発明のロックレバーと軸体との組み立て概略図、（Ｂ）は本願発明のロックレバー及び軸体とケース本体との組み立て概略図。
【図１４】本願発明のホットプレートのロックレバーの変形例を示す拡大短辺側面図。
【図１５】本願発明のホットプレートのロックレバーの他の変形例を示す一部拡大底面図。
【図１６】従来のホットプレートのロックレバーの使用状態を示す断面図。
【符号の説明】
１…ホットプレート      ２…ケース本体
３…水受け容器          ４…ヒータ
５…プレート            ６…蓋
７…プレート取手        ８…段部
９…カール              １０…蓋取手
１０ａ…本体部          １０ｂ…舌状部
１０ｃ…円弧状段部      １０ｄ…凸部
１０ｅ…最上面部        １１…ビス
１２…脚部              １３…開口
１４…補強リブ          １５…環状溝
１５ａ…ビス穴用ボス    １５ｂ…ビス穴
１６…収納空間          １７…短辺側面部
１７ａ…最外方端        １８…縦溝
１８ａ…溝奥部          １９…側壁面
２０…切欠き溝          ２１…ロックレバー
２２…把持部            ２２ａ…水平部
２２ｂ…円弧部          ２２ｃ…係止片
２２ｄ…前端部          ２２ｅ…後端部
２３…側柱部            ２３ａ…内壁面
２３ｂ…係止突起        ２４…リブ
２５…丸孔              ２６…切欠き
２７…軸体              ２８…本体部
２８ａ…ビス貫通口      ２８ｂ…補強リブ
２８ｃ…短辺側面        ２９…軸
２９ａ…軸突起          ３０…空隙
３１…摩擦部材          ３２…係止凸部
【図１】
2004313224.tif 000003
【図２】
2004313224.tif 000004
【図３】
2004313224.tif 000005
【図４】
2004313224.tif 000006
【図５】
2004313224.tif 000007
【図６】
2004313224.tif 000008
【図７】
2004313224.tif 000009
【図８】
2004313224.tif 000010
【図９】
2004313224.tif 000011
【図１０】
2004313224.tif 000012
【図１１】
2004313224.tif 000013
【図１２】
2004313224.tif 000014
【図１３】
2004313224.tif 000015
【図１４】
2004313224.tif 000016
【図１５】
2004313224.tif 000017
【図１６】
2004313224.tif 000018